(57)【要約】【課題】パージ先として利用可能な排紙先が複数であっても、パージされたシートをユーザーが取り忘れる危険性を回避することが可能な画像形成装置を提供する。【解決手段】操作部は操作パネルに操作画面（７００）を表示してユーザーの操作を受け付ける。搬送部は複数の排紙先のうちユーザーの指定した搬送先へシートを経路に沿って搬送する。監視部が経路にジャムを検出した場合、選択部は搬送部にシートの搬送を中断させると共に、操作部に対し、パージ先の選択画面（７１０）を操作画面にポップアップ表示するように指示する。この選択画面を通してユーザーが選択したパージ先を操作部が受け付けた場合、ジャムの検出に応じて経路上に停止しているシートの中からパージ先へ移動可能なシートをパージ制御部が特定し、搬送部にそのシートをそのパージ先へ搬送させる。【選択図】図７
2017019172.tif 000002
【特許請求の範囲】
【請求項１】
操作画面を表示し、前記操作画面を通してユーザーの操作を受け付ける操作部と、
複数の排紙先へつながる経路に沿ってシートを前記複数の排紙先のいずれかへ搬送する搬送部と、
前記経路を移動中のシートに画像を形成する画像形成部と、
前記操作部が受け付けたユーザーの操作に従って、前記複数の排紙先の中から搬送先を特定し、前記搬送部に当該搬送先へシートを搬送させる制御部と、
を備えた画像形成装置であり、
前記制御部は、
前記搬送部を通して前記経路にジャムを検出した場合、前記搬送部にシートの搬送を中断させると共に、前記操作部に、前記複数の排紙先の中からパージ先を選択するための選択画面を表示させて、前記選択画面を通してユーザーによって選択されたパージ先を受け付けさせ、
前記操作部が前記選択されたパージ先を受け付けたことに応じて、前記経路上に停止しているシートの中から当該パージ先へ移動可能なシートを特定し、前記搬送部に当該シートを当該パージ先へ搬送させる
ことを特徴とする画像形成装置。
【請求項２】
前記操作部は前記選択画面を前記操作画面にポップアップ表示することを特徴とする請求項１に記載の画像形成装置。
【請求項３】
前記制御部は前記搬送部に、前記経路上に停止しているシートのうち、前記操作部が受け付けたパージ先への搬送対象から除外された残りのシートを前記経路上に停留させ、または、当該残りのシートのうち移動可能なシートを前記複数の排紙先のうち搬送可能な排紙先まで搬送させることを特徴とする請求項１または請求項２に記載の画像形成装置。
【請求項４】
前記経路のうち前記画像形成部よりも下流の部分を移動中のシートに対して後処理を行う少なくとも１つの後処理部
を更に備え、
前記複数の排紙先は前記少なくとも１つの後処理部のそれぞれに少なくとも１つずつ設置されている
ことを特徴とする請求項１から請求項３までのいずれかに記載の画像形成装置。
【請求項５】
前記制御部は、前記経路上に停止しているシートのうち、各ジョブで最初に処理されたシートの位置に基づいて、前記複数の排紙先の中からパージ先の候補を選択して前記選択画面に表示することを特徴とする請求項１から請求項４までのいずれかに記載の画像形成装置。
【発明の詳細な説明】
【技術分野】
【０００１】
本発明はシートの搬送技術に関し、特にパージ技術に関する。
【背景技術】
【０００２】
印刷機、複写機等の画像形成装置は一般に、１本の経路に沿って複数枚のシートを連続的に搬送しながら各シートに画像を形成する。経路上を移動中のシートに、紙詰まり（ジャム）、画質不良等の不具合が生じた場合、画像形成装置は通常、処理を中断して、移動中の他のシートを経路上の適切な場所に強制的に停止させる。この画像形成装置に処理を再開させるには、停止したシートのうち処理の続行が不可能なシートをすべて経路上から除去しなければならない。しかし、この除去作業のすべてをユーザーに委ねるのは、ユーザーにとっては煩わしい。
【０００３】
従来の画像形成装置の中には、この煩わしさからユーザーを解放することを目的として処理を中断した際に経路上に停止したシートを経路上から自動的に除去する機種がある（たとえば特許文献１−４参照）。この除去動作を「パージ」という。パージ対象のシートは本来の排紙先とは別の排紙先へパージされる。この別の排紙先、すなわちパージ先としては一般に、パージ専用に設けられたトレイまたはカセット等が利用される。その他に、プロダクションプリンター（ＰＰ）以上の大型の機種では元々、経路上の複数箇所に排紙先が設けられている。したがって、それら複数の排紙先の中からユーザーによって予め選択された１つの排紙先、またはそれらの排紙先のうち、ジャムの発生場所よりも上流に位置し、かつその発生場所に最も近い排紙先がパージ先として利用される（たとえば特許文献２参照）。
【先行技術文献】
【特許文献】
【０００４】
【特許文献１】特開２０１５−０３６７４１号公報
【特許文献２】特開２０１４−１６４０１１号公報
【特許文献３】特開２０１３−２３５１３７号公報
【特許文献４】特開２００８−０５２１２５号公報
【発明の概要】
【発明が解決しようとする課題】
【０００５】
従来の画像形成装置は通常、シートの搬送に不具合が生じる度にパージを自動的に実行する。しかし、この装置に機密文書を印刷させる場合、このようなパージには情報漏洩の危険性がある。実際、パージ先は本来の排紙先とは異なるので、パージされたシートをユーザーが取り忘れる場合は少なくない。特にＰＰでは一般に排紙先が複数なので、いずれの排紙先がパージ先として選択されているかの確認をユーザーが失念する危険性が高い。その結果、パージ先に放置されたシートが他の印刷物へ混入する等によって第三者に曝される危険性を否定することはできない。
【０００６】
その他に、ＰＰでは一般にシートの搬送経路が長いので、本来の排紙先から遠く離れた排紙先がパージ先に選択される可能性がある。この場合、パージされたシートをユーザーが取り忘れる危険性が更に増す。さらに、パージされたシートの有無を確認するために本来の排紙先からパージ先まで移動することがユーザーに新たな煩わしさを与えかねない。
本発明の目的は上記の課題を解決することであり、特に、パージ先として利用可能な排紙先が複数であっても、パージされたシートをユーザーが取り忘れる危険性を回避することが可能な画像形成装置を提供することにある。
【課題を解決するための手段】
【０００７】
本発明の１つの観点における画像形成装置は、操作画面を表示し、その操作画面を通してユーザーの操作を受け付ける操作部と、複数の排紙先へつながる経路に沿ってシートをそれら複数の排紙先のいずれかへ搬送する搬送部と、その経路を移動中のシートに画像を形成する画像形成部と、操作部が受け付けたユーザーの操作に従って、複数の排紙先の中から搬送先を特定し、搬送部にその搬送先へシートを搬送させる制御部とを備えている。制御部は、搬送部を通して経路にジャムを検出した場合、搬送部にシートの搬送を中断させると共に、操作部に、複数の排紙先の中からパージ先を選択するための選択画面を表示させて、その選択画面を通してユーザーによって選択されたパージ先を受け付けさせ、操作部がその選択されたパージ先を受け付けたことに応じて、経路上に停止しているシートの中からそのパージ先へ移動可能なシートを特定し、搬送部にそのシートをそのパージ先へ搬送させる。
【０００８】
操作部は選択画面を操作画面にポップアップ表示してもよい。
制御部は搬送部に、経路上に停止しているシートのうち、操作部が受け付けたパージ先への搬送対象から除外された残りのシートを経路上に停留させてもよく、または、その残りのシートのうち移動可能なシートを複数の排紙先のうち搬送可能な排紙先まで搬送させてもよい。
【０００９】
この画像形成装置は、経路のうち画像形成部よりも下流の部分を移動中のシートに対して後処理を行う少なくとも１つの後処理部を更に備えてもよい。この場合、複数の排紙先は各後処理部に少なくとも１つずつ設置されていてもよい。
制御部は、経路上に停止しているシートのうち、各ジョブで最初に処理されたシートの位置に基づいて、複数の排紙先の中からパージ先の候補を選択して選択画面に表示してもよい。
【発明の効果】
【００１０】
本発明による画像形成装置では上記のとおり、制御部が経路にジャムを検出した場合、搬送部にシートの搬送を中断させると共に、操作部にパージ先の選択画面を表示させてユーザーにパージ先の選択を促させる。このように、この画像形成装置は、ジャムが実際に検出された時にユーザーにパージ先を選択させる。これにより、ユーザーが実際のパージ先を失念する危険性が低減するので、この画像形成装置は、パージ先として利用可能な排紙先が複数であっても、パージされたシートをユーザーが取り忘れる危険性を回避することができる。
【図面の簡単な説明】
【００１１】
【図１】（ａ）は、本発明の実施形態による画像形成装置の外観を示す斜視図であり、（ｂ）はその画像形成装置の正面図である。
【図２】図１の示す画像形成装置に内蔵されたシートの搬送経路を示す模式図である。
【図３】図１の示す画像形成装置の本体の内部構造を模式的に表す正面図である。
【図４】図３の示す本体が含む電子制御系統のブロック図である。
【図５】（ａ）は、図１の示す中綴じ機の主要な構成を表す模式図であり、（ｂ）は、この中綴じ機による中綴じの方法を示す模式図であり、（ｃ）、（ｄ）は、この中綴じ機が処理したシートの束の上面図と斜視図である。
【図６】（ａ）は、図１の示すくるみ製本機の主要な構成を表す模式図であり、（ｂ）、（ｃ）、（ｄ）は、このくるみ製本機による製本方法を段階的に表す模式図である。
【図７】ジャムの検出時、図１の示す操作部が表示する操作画面に重畳されるパージ先の選択画面を示す図である。
【図８】（ａ）、（ｂ）は、図２の示すシートの搬送経路に設けられた複数の排紙先のうち、平綴じ機、中綴じ機の上面に位置するサブトレイがパージ先に選択された場合におけるパージ処理の様子を示す模式図である。
【図９】図１の示す画像形成装置によるパージ処理のフローチャートである。
【発明を実施するための形態】
【００１２】
以下、本発明の実施形態について、図面を参照しながら説明する。
［画像形成装置の外観］
図１の（ａ）は、本発明の実施形態による画像形成装置の外観を示す斜視図であり、（ｂ）はその画像形成装置の正面図である。図１を参照するに、この画像形成装置は本体１００とそれに外付けされた後処理部とを備えている。後処理部はたとえば、中綴じ機２００、くるみ製本機３００、および平綴じ機４００の３台の縦続接続で構成されている。
【００１３】
本体１００は、スキャナー、コピー機、およびレーザープリンターの機能を併せ持つ。図１を参照するに、本体１００の筐体の上面には自動原稿送り装置（auto document feeder：ＡＤＦ）１１０が開閉可能に装着されている。ＡＤＦ１１０の直下に位置する筐体の上部にはスキャナー１２０が内蔵され、この筐体の下部にはプリンター１３０が内蔵されている。プリンター１３０の底部には給紙カセット１３１が引き出し可能に取り付けられている。ＡＤＦ１１０は上面のトレイに載せられた原稿をスキャナー１２０へ送り込む。スキャナー１２０はその原稿の表面から画像を取り込む。プリンター１３０はその画像、またはネットワークから取得した画像データの表す画像を、給紙カセット１３１に収容されたシートに印刷する。
【００１４】
中綴じ機２００は本体１００から、プリンター１３０によって画像が印刷された後のシートを受け取って束にし、その束を中綴じして冊子にする。中綴じ機２００の底部には冊子トレイ２０１が引き出し可能に取り付けられ、この中に形成後の冊子が収容される。
くるみ製本機３００は本体１００から中綴じ機２００を通して、プリンター１３０によって画像が印刷された後のシートを受け取って束にし、その束に対してくるみ製本処理を行う。くるみ製本機３００の筐体の底部には表紙トレイ３０１が引き出し可能に取り付けられ、その筐体の左端部分には前面の扉３０２の中に台車（図には示されていない。）が収容されている。製本後の束はこの台車に積載され、台車ごと引き出される。
【００１５】
平綴じ機４００は本体１００から中綴じ機２００とくるみ製本機３００とを通して、プリンター１３０によって画像が印刷された後のシートを受け取って束にし、その束を平綴じする。平綴じ機４００の左側面には排紙トレイ４０１が取り付けられている。平綴じ機４００は本体１００から取り込んだ印刷後のシートの束を平綴じした上で、またはそのままこの排紙トレイ４０１に積載する。
【００１６】
［シートの搬送経路］
図２は、図１の示す画像形成装置に内蔵されたシートの搬送経路を示す模式図である。図２が破線で示すように、この経路は次のように構成されている。
本体１００内では、各給紙カセット１１からの給紙経路ＦＤＰが１本の搬送経路ＣＲＰに合流し、この搬送経路ＣＲＰが作像部２０と定着部３０とを貫いて送出部４０から次段の中綴じ機２００内の搬送経路へつながる。
【００１７】
中綴じ機２００内の搬送経路は、中綴じ部２０２を貫く処理経路ＳＬＰと、次段のくるみ製本機３００内の搬送経路へつながる中継経路ＲＬＰとの二手に分かれる。処理経路ＳＬＰは冊子トレイ２０１に終端を持つ。中継経路ＲＬＰは途中で、中綴じ機２００の上面に設けられたサブトレイ２０３と、中綴じ機２００に内蔵されたパージ専用トレイ２０４とにつながる。
【００１８】
くるみ製本機３００内の搬送経路は、丁合部３０３を貫いて次段の平綴じ機４００内の搬送経路へつながる中継経路ＢＢＰと、表装部３０４を貫く処理経路ＭＴＰとの二手に分かれる。中継経路ＢＢＰは途中で、くるみ製本機３００の上面に設けられたサブトレイ３０５と、丁合部３０３に内蔵された集積台３０６とにつながる。処理経路ＭＴＰは表紙トレイ３０１を別の始端とし、台車３０７に終端を持つ。
【００１９】
平綴じ機４００内の搬送経路は、排紙トレイ４０１に直結する排紙経路ＤＣＰ、平綴じ部４０２へつながる処理経路ＳＤＰ、および平綴じ機４００の上面に設けられたサブトレイ４０３へつながるサブ経路ＳＢＰの三方に分かれる。処理経路ＳＤＰは、平綴じ部４０２に内蔵された処理トレイ４０４に終端を持つ。
図２を更に参照するに、経路上には複数の搬送ローラー１４、２１０、３１０、４１０が配置されている。各搬送ローラーは上流の搬送ローラーから送出されたシートを自身のニップへ引き込んで自身の下流側へ送出する。図２は示していないが、経路の周辺には各搬送ローラーの駆動用モーターが設置されている。各モーターはたとえば直流ブラシレス（ＢＬＤＣ）モーターであり、ギア、ベルト等の伝達系統を通して駆動対象のローラーに回転力を与える。
【００２０】
図２の示す経路の各分岐点には切換爪とその駆動用ソレノイドとが設置されている（図２には示されていない）。切換爪は、基端が回転可能に固定された爪状または板状の部材である。ソレノイドは、電磁石を利用して可動鉄芯（ブランジャー）を軸方向に前後運動させて切換爪を押し引きすることにより、それらを基端のまわりに揺動させる。この揺動に伴ってその切換爪の先端が上下に移動することにより、その分岐点における下流への通路が切り換えられる。
【００２１】
図２は示していないが、経路上には更に複数の光学センサーが設置されている。各光学センサーはその設置場所を通過中のシートを検知する。具体的には、各光学センサーは発光部と受光部とを含む。発光部は赤外線等、所定波長の光を出射し、受光部はその波長の光を検出する。各光学センサーの設置場所を１枚のシートが通過する間、そのシートは発光部の出射光を受光部の手前で遮断し、または受光部へ向けて反射する。この出射光の遮断または反射に応じて受光部の出力が変化することから、各光学センサーの設置場所を通過中のシートが検知される。この検知のタイミングから、ジャム等に起因する搬送不良の有無が判断される。
【００２２】
［本体の内部構造］
図３は図１の示す画像形成装置の本体１００の内部構造を模式的に示す正面図である。図３にはこれらの内部の要素が、あたかも筐体の前面を透かして見えているように描かれている。図３を参照するにプリンター１３０は、給送部１０、作像部２０、定着部３０、および送出部４０を含む。これらの要素１０−４０は協働して画像形成部として機能し、画像データに基づいてシートにトナーで画像を形成する。
【００２３】
給送部１０は給送ローラー群１２、１３、１４を利用して、給紙カセット１１または手差しトレイ１６に収容されたシートの束ＳＨＴからシートを１枚ずつ作像部２０へ給送する。給紙カセット１１および手差しトレイ１６に収容可能なシートの材質は紙または樹脂であり、サイズは、Ａ３、Ａ４、Ａ５、またはＢ４等であり、紙種は、普通紙、上質紙、または塗工紙等である。給紙カセット１１と手差しトレイ１６との近傍には給紙センサーＦＳが設置されている。これらの出力が示すシートの通過タイミングに遅れがないか否かに応じて、給送ローラー群１２、…がシートを正常なタイミングで経路へ給送しているか否かが判断される。
【００２４】
給送部１０は作像部２０との境界付近にタイミングローラー１４とタイミングセンサーＴＳとを含む。タイミングローラー１４は一般に停止しているので、その場に到着したシートはいずれも一旦停止する。その後、タイミングローラー１４は、後述の主制御部６０からの駆動信号が示すタイミングで回転を開始する。これにより、タイミングローラー１４から作像部２０へ送出されたシートには、感光体ドラム２２の表面上に形成されたトナー像がタイミング良く接触するので、そのシートにそのトナー像が正しく転写される。タイミングセンサーＴＳは、その出力が示すシートの通過タイミングから、タイミングローラー１４およびその周辺におけるシートの搬送不良の有無を判断するのに利用される。
【００２５】
作像部２０は、給送部１０から送られたシートの上にトナー像を形成する。具体的にはまず、露光部２１がレーザー光ＬＳＢを感光体ドラム２２に照射してその表面を、画像データの表すパターンで露光することにより、その表面に静電潜像を作成する。次に、その静電潜像を現像部２３がトナーで現像する。現れたトナー像は、感光体ドラム２２とその表面に対向する電極２４との間の電界によって感光体ドラム２２の表面から、感光体ドラム２２とその電極２４との間を通過するシートの表面へ転写される。
【００２６】
定着部３０は、作像部２０から送出されたシートにトナー像を熱定着させる。具体的には、定着ローラー３１と加圧ローラー３２との間のニップにシートが通紙されるとき、定着ローラー３１はそのシートの表面へ内蔵のヒーターの熱を加え、加圧ローラー３２はそのシートの加熱部分に対して圧力を加えて定着ローラー３１へ押し付ける。定着ローラー３１からの熱と加圧ローラー３２からの圧力とにより、トナー像がそのシートの表面上に定着する。
【００２７】
送出部４０は、定着部３０から送出されたシートを次段の中綴じ機２００へ送出し、またはそのシートの表裏を反転させて作像部２０へ戻す。具体的には、送出部４０はまず切換爪４１をその基端のまわりに揺動させてその先端を上下させる。
定着部３０が送出したシートを中綴じ機２００へ送出する場合、送出部４０は切換爪４１の先端を下げて送出口４２への通路を形成する。送出口４２は、本体１００の筐体の側面に開いた水平方向に細長いスリットである。切換爪４１から送出口４２へ移動したシートは、その送出口４２の内側に配置された送出ローラー４３の回転に伴い、送出口４２から中綴じ機２００へ送出される。
【００２８】
定着部３０が送出したシートを循環路４４へ送出する場合、送出部４０は切換爪４１の先端を上げて循環路４４への通路を形成する。切換爪４１から循環路４４の上流部分へ進入したシートは複数の搬送ローラーによって反転ローラー４５へ送られる。反転ローラー４５は正逆両方向に回転可能である。反転ローラー４５はまず正転しながらその周面でシートを反転ガイド４６へ送出する。そのシートの後端が反転ローラー４５を通過する直前に反転ローラー４５は逆転してそのシートを反転ガイド４６から引き込み、循環路４４の下流部分へ送出する。このように反転ローラー４５がそのシートをスイッチバックさせるので、そのシートは裏返しに給送部１０内の経路へ戻る。その後、給送部１０はこのシートを再び作像部２０へ送り、作像部２０はこのシートの裏面にトナー像を形成する。定着部３０はこのトナー像をそのシートに熱定着させ、送出部４０はこのシートを今度は中綴じ機２００へ送出する。
【００２９】
切換爪４１の手前には排紙センサーＥＳが設置されている。この出力が示すシートの通過タイミングに遅れがないか否かに応じて、切換爪４１をシートが正常なタイミングで通過しているか否かが判断される。循環路４４には反転センサー１ＲＳ、２ＲＳが設置されている。これらの出力が示すシートの通過タイミングに遅れがないか否かに応じて反転ローラー４５がシートを正常なタイミングでスイッチバックさせたか否かが判断される。
【００３０】
［本体の電子制御系統］
図４は本体１００の電子制御系統のブロック図である。図４を参照するにこの電子制御系統では、ＡＤＦ１１０、スキャナー１２０、およびプリンター１３０に加えて、操作部５０、外部インタフェース（Ｉ／Ｆ）５２、および主制御部６０がバス９０を通して互いに通信可能に接続されている。特にプリンター１３０ではこのバス接続を利用して、給送部１０、送出部４０、および作像部２０と定着部３０との一部が搬送部７０を構成する。
【００３１】
−操作部−
操作部５０はユーザーの操作または外部の電子機器との通信を通してジョブの要求と印刷対象の画像データとを受け付け、それらを主制御部６０へ伝える。図４を参照するに操作部５０は操作パネル５１を含む。操作パネル５１は、図１が示すとおり、本体１００の筐体の上面に設置され、押しボタン、タッチパネル、およびディスプレイを含む。操作部５０は操作パネル５１を制御して、操作画面および各種パラメーターの入力画面等のＧＵＩ画面をディスプレイに表示させる。操作部５０はまた、ユーザーが操作した押しボタンまたはタッチパネルの位置を識別し、その識別に関する情報を操作情報として主制御部６０へ伝える。
【００３２】
−外部Ｉ／Ｆ−
外部Ｉ／Ｆ５２はＵＳＢポートまたはメモリカードスロットを含み、それらを通してＵＳＢメモリーまたはハードディスクドライブ（ＨＤＤ）等の外付けの記憶装置から直に印刷対象の画像データを取り込む。外部Ｉ／Ｆ５２はまた外部ネットワーク（図４には示されていない。）に有線または無線で接続され、そのネットワーク上の他の電子機器から印刷対象の画像データを受信する。外部Ｉ／Ｆ５２は更に後処理部１５０の電子制御系統に接続され、その電子制御系統と主制御部６０との間のデータ交換を中継する。
【００３３】
−搬送部−
搬送部７０は本体１００内でシートの搬送を行う機能部の全体であり、図３、図４から理解されるとおり、給送部１０と送出部４０とに加え、感光体ドラム２２、定着ローラー３１、加圧ローラー３２等、作像部２０と定着部３０との一部から構成される。
図４を更に参照するに、プリンター１３０の各要素１０、２０、３０、４０は駆動部１０Ｄ、２０Ｄ、３０Ｄ、４０Ｄを含む。各駆動部１０Ｄ、…は搬送ローラー群１２、…を始め、搬送部７０の含む多様な可動部材の駆動用モーターとソレノイドとを制御する。各駆動部１０Ｄ、…は更に多種多様なセンサーを利用して本体１００の各要素１０、…の動作状態とシートの搬送状態とを監視し、いずれかから不具合を検出したときに主制御部６０へ通知する。これらのセンサーには、図３の示す光学センサーＦＳ、…の他に、感光体ドラム２２、定着ローラー３１等の可動部材の位置または姿勢を検知するための位置センサー、給紙カセット１１における紙切れを検知するためのセンサー、現像部２３におけるトナー不足を検知するためのセンサー等が含まれる。
【００３４】
−主制御部−
主制御部６０は１枚の基板の上に実装された電子回路であり、その基板は本体１００の内部に設置されている。図４を参照するに主制御部６０は、ＣＰＵ６１、ＲＡＭ６２、およびＲＯＭ６３を含む。ＣＰＵ６１はファームウェアに従って、バス９０に接続された他の要素１０、２０、…を制御する。ＲＡＭ６２は、ＣＰＵ６１がファームウェアを実行する際の作業領域をＣＰＵ６１に提供する。この作業領域にＣＰＵ６１はたとえば、シートの搬送処理に利用するシート位置情報６２１を書き込む。ＲＡＭ６２はまた、操作部５０が受け付けた印刷対象の画像データ６２２を保存する。この画像データ６２２はたとえばページ記述言語（ＰＤＬ）で表現されている。ＲＯＭ６３は書き込み不可の半導体メモリー装置と、ＥＥＰＲＯＭ等の書き換え可能な半導体メモリー装置またはＨＤＤとを含む。前者はファームウェアを格納し、後者はＣＰＵ６１に環境変数等の保存領域を提供する。
【００３５】
ＣＰＵ６１が各種ファームウェアを実行することにより、主制御部６０は操作部５０からの操作情報に基づいて本体１００内の他の要素を制御する。具体的には、主制御部６０は操作部５０に操作画面を表示させてユーザーによる操作を受け付けさせる。この操作に応じて主制御部６０は、稼動モード、待機モード、スリープモード等の動作モードを決定し、その動作モードを他の要素へ駆動信号で通知して、その動作モードに応じた処理を各要素に実行させる。
【００３６】
たとえば操作部５０がユーザーからジョブを受け付けたとき、主制御部６０はまず操作部５０に印刷対象の画像データ６２２をＲＡＭ６２へ転送させる。主制御部６０は次に、その画像データ６２２の示す印刷条件に従い、給送部１０には給送すべきシートの種類とその給送のタイミングとを指定し、作像部２０には形成すべきトナー像を表す画像データを提供し、定着部３０には、維持すべき定着ローラー３１の表面温度を指定し、送出部４０には切換爪４１の先端の方向とその切換のタイミングとを指定する。主制御部６０はまた後処理部１５０には、送出部４０によるシートの送出のタイミングとそのシートに対して施すべき後処理の種類とを指示する。
【００３７】
主制御部６０は更に画像形成部１０−４０と後処理部１５０との動作状態、特にそれらによるシートの搬送状態を監視し、いずれかから不具合を検出したときには動作モードを適切に変更してその不具合の解消を図る。たとえば、図３の示す光学センサーＦＳ、…を通してシートの搬送タイミングの異常な遅れを検知した場合、プリンター１３０と後処理部１５０とに処理を中断させると共に操作パネル５１に「紙詰まりが生じた」旨のメッセージを表示させてユーザーにその解消を促す。給紙カセット１１における紙切れまたは作像部２０の現像部２３におけるトナー不足を検知した場合、プリンター１３０に処理を中断させると共に操作パネル５１に「紙が切れた／トナーが不足している」旨のメッセージを表示させてユーザーにそれらの補充を促す。
【００３８】
図４を更に参照するに主制御部６０は、監視部６１０、選択部６１１、およびパージ制御部６１２を含む。これらの機能部６１０、…、６１２は搬送部７０と後処理部１５０とによるパージ処理を制御するためのものであり、ＣＰＵ６１が専用のファームウェアを実行することによって実現される。
監視部６１０は、本体１００の搬送部７０と後処理部１５０とがシートを経路に沿って搬送する間、図３の示す光学センサーＦＳ、…の出力を通してそれらのシートの位置を監視し、それらの位置に基づいて搬送部７０と後処理部１５０とによるシートの搬送動作を制御する。
【００３９】
選択部６１１は、監視部６１０が搬送部７０と後処理部１５０とを通して経路にジャムを検出した場合に起動し、操作部５０を利用してユーザーに、本体１００と後処理部１５０とが備えた複数の排紙先の中からパージ先を選択させる。具体的には、選択部６１１はまず搬送部７０と後処理部１５０とにシートの搬送を中断させる。それと共に、選択部６１１は操作部５０に、複数の排紙先の中からパージ先を選択するための選択画面を表示させて、その選択画面を通してユーザーによって選択されたパージ先を受け付けさせる。
【００４０】
パージ制御部６１２は、操作部５０がユーザーからパージ先を受け付けたことに応じて起動し、経路上に停止しているシートの中からそのパージ先へ移動可能なシートを特定して、搬送部７０と後処理部１５０とにそれらのシートをそのパージ先へ搬送させる。
これらの機能部６１０、…、６１２が制御するパージ処理の詳細については後述する。
［中綴じ機の構造］
図５の（ａ）は、中綴じ機２００の主要部である中綴じ部２０２の構成を表す模式図である。図５の（ａ）を参照するに中綴じ部２０２は、中折りローラー２２１、折り板２２２、搬送ベルト２２３、集積鞍２２４、ステープラー２２５、押さえ部材２２６、およびカッター２２７を備えている。これらの要素を用いた中綴じ処理は次の３つの工程を順に含む。（Ａ）中折り、（Ｂ）ステープルによる綴じ、（Ｃ）小口の裁断。
【００４１】
（Ａ）中折りローラー２２１と折り板２２２とは中折り工程に利用される。中折りローラー２２１は同じ細長い円柱形状のローラーの対であり、互いの回転軸を平行にした姿勢で隣接して間にニップを形成している。中折りローラー２２１は特に正逆両方向に回転可能である。折り板２２２は薄い刃状または楔状の部材であり、中折りローラー２２１のニップを含む仮想的な平面（図５ではＸＺ平面）内に、刃状または楔状の先端がそのニップに対向するように配置されている。折り板２２２は特にそのニップに挿抜可能である。搬送ベルト２２３は折り板２２２の表側と裏側とに１つずつ配置され、中折りローラー２２１と折り板２２２との間に挿入されたシートＳＨＴに接触してそのシートＳＨＴを中折りローラー２２１の軸方向（図５ではＸ軸方向）に搬送する。
【００４２】
中折り工程ではまず、中折り対象のシートＳＨＴが中折りローラー２２１と折り板２２２との間に挿入されて、その折られるべき直線部分が中折りローラー２２１のニップと折り板２２２とを含む仮想的な平面（ＸＺ平面）上に配置される。次に、そのシートＳＨＴ越しに折り板２２２の先端が中折りローラー２２１のニップへ挿入されると共に、中折りローラー２２１が正転してその周面でシートＳＨＴの折られるべき直線部分をニップに引き込む。そのシートＳＨＴの直線部分を中心とする所定幅をニップに引き込んだ時点で、折り板２２２の先端がニップから引き抜かれると共に、中折りローラー２２１は逆転してそのシートＳＨＴをニップから送り出す。その結果、そのシートＳＨＴの直線部分に折り目が付いて、このシートＳＨＴが１枚の“折り”となる。その後、この折りは搬送ベルト２２３によって集積鞍２２４の上（図５ではＸ軸方向）へ押し出される。
【００４３】
（Ｂ）集積鞍２２４とステープラー２２５とは綴じ工程に利用される。集積鞍２２４は２枚の板状部材を切妻屋根様の形状に組み合わせたものであり、この上で丁合が行われる。すなわち、中折り工程で形成された折りは形成順に集積鞍２２４の上に、その折り目が集積鞍２２４の“棟”に位置するように積み重ねられる。本１冊分の折りの束が集積鞍２２４の上に積載されたとき、ステープラー２２５はその束の上から集積鞍２２４の棟へステープルを打ち込む。その棟にはクリンチャー（clincher：図５には示されていない。）が埋め込まれており、ステープラー２２５が打ち込んだステープルの先端を曲げて平坦にする。こうして、集積鞍２２４の上の束が綴じられて折丁が完成する。その後、この折丁は集積鞍２２４の上から棟の方向（図５ではＸ軸方向）へ押し出されて、押さえ部材２２６の間へ移動する。
【００４４】
（Ｃ）押さえ部材２２６とカッター２２７とは裁断工程に利用される。押さえ部材２２６は一対の棒状部材であり、互いに平行に間隔を置いて配置され、その間隔が変化するように長手方向（図５ではＸ軸方向）に対して垂直な方向（図５ではＹ軸方向）で平行移動可能である。カッター２２７は、押さえ部材２２６の間を移動可能な刃を備えている。集積鞍２２４の上から押さえ部材２２６の間へ移動した折丁ＱＵＲは、その押さえ部材２２６によって両側から挟まれる。この状態でカッター２２７が刃を移動させて、押さえ部材２２６の間からはみ出した折丁ＱＵＲの端を裁断する。こうして、１冊の冊子が完成し、図２の示す冊子トレイ２０１へ収容される。
【００４５】
図５の（ｂ）は、集積鞍２２４の上で綴じられた折丁ＱＵＲの分解図であり、（ｃ）、（ｄ）は、裁断後の折丁ＱＵＲ、すなわち冊子の上面図と斜視図である。折りＳＨＴは折り目ＣＲＳが一致するように重ねられ、その折り目ＣＲＳの２箇所がステープルＳＴＰで綴じられる。また、カッター２２７による裁断の結果、折丁ＱＵＲの小口ＦＲＥが平坦に揃う。
【００４６】
［くるみ製本機の構造］
図６の（ａ）は、くるみ製本機３００の主要な構成を表す模式図である。図６の（ａ）を参照するに、丁合部３０３は集積台３０６の他に、把持部材３３１と糊塗布部３３２とを含む。表装部３０４は表紙トレイ３０１と台車３０７との他に、表紙給送部３４０、加圧部材３４１、折曲部材３４２、昇降部３４３、搬送ベルト３４４、および載置部３４５を含む。
【００４７】
−丁合部−
丁合部３０３は次のように１冊分のシートを束ねてその束の背に接着剤を塗布する。集積台３０６は、中継経路ＢＢＰの１つの分岐の終端に置かれたトレイであり、その載置面が水平方向に対して傾斜している。把持部材３３１は、くるみ製本機３００の筐体内に設けられた作業空間を移動可能なマニピュレーターである。中継経路ＢＢＰを通して集積台３０６の上に１冊分のシートの束ＢＢＫが積載されると、把持部材３３１はこの束ＢＢＫをつかんで集積台３０６から糊塗布部３３２の前方の空間（図６の（ａ）では紙面に対して手前側）へ移動させる。把持部材３３１は更にその束ＢＢＫを、図６の（ａ）が示すようにその背を下にして垂直に立てて保持する。糊塗布部３３２はその前方の空間を前後に（図６の（ａ）では紙面に対して垂直に）往復運動することにより、内蔵の塗布ローラー（図６の（ａ）には示されていない。）を束ＢＢＫの背の上で転がす。これによりそのローラーの外周面から束ＢＢＫの背にポリウレタン（ＰＵＲ）系ホットメルト等の接着剤が塗布される。
【００４８】
−表装部−
表装部３０４は、丁合部３０３が丁合したシートの束ＢＢＫを表紙でくるむ。図６の（ｂ）、（ｃ）、（ｄ）は、この工程を段階的に表す模式図である。
図６の（ａ）を参照するに、表紙給送部３４０は、処理経路ＭＴＰに沿って設置された複数の搬送ローラーを利用して表紙トレイ３０１から表紙用シートＣＶＳを１枚ずつ分離し、処理経路ＭＴＰに沿って表紙支持ローラー３４６、３４７の上まで搬送する。これらのローラー３４６、３４７の中間には加圧部材３４１と折曲部材３４２とが配置されている。これら３４１、３４２、３４６、３４７の上に表紙用シートＣＶＳが位置したとき、これらの全体を昇降部３４３が垂直方向（図６の（ａ）では上下方向）に上昇させる。この上昇により、図６の（ｂ）が示すように表紙用シートＣＶＳが、把持部材３３１によって保持された束ＢＢＫの背に下から接近する。
【００４９】
昇降部３４３が上昇を続けると、図６の（ｃ）が示すように表紙用シートＣＶＳの中央の帯状部分が束ＢＢＫの背に接触して、加圧部材３４１がその帯状部分を束ＢＢＫの背に押し付ける。この背には接着剤が塗布されているので、その背に接触した表紙用シートＣＶＳの中央の帯状部分がその背に接着される。
昇降部３４３は更に上昇を続け、加圧部材３４１で束ＢＢＫの背を上向きに加圧すると共に折曲部材３４２を上昇させる。図６の（ａ）、（ｄ）が示すとおり、折曲部材３４２は、加圧部材３４１を間に挟んで平行に配置された一対の棒状部材である。したがって、折曲部材３４２はその上昇により、表紙用シートＣＶＳのうち、束ＢＢＫの背に接触した帯状部分の両側に隣接する部分をその束ＢＢＫの先頭と最後とのページの背側の端、すなわち“のど”に押し付ける。これにより、図６の（ｄ）が示すとおり、表紙用シートＣＶＳが束ＢＢＫの背の縁に沿って折れ曲がり、束ＢＢＫの先頭と最後とのページをくるむ。こうして、１冊の冊子ＣＢＫが完成する。
【００５０】
図６の（ａ）を再び参照するに、この冊子ＣＢＫを把持部材３３１は搬送ベルト３４４の上に寝かせて置く。この搬送ベルト３４４はこの冊子ＣＢＫを水平方向（図６の（ａ）では左右方向）に搬送して載置部３４５へ送出する。載置部３４５はこの冊子ＣＢＫを台車３０７に積載する。
［平綴じ機の構造］
図２を再び参照するに、平綴じ部４０２の内蔵する処理トレイ４０４は水平方向（図２では左右方向）に対して傾斜している。このトレイ４０４の上に本体１００から取り込んだ平綴じ対象のシートの束が積載されると、載置面の傾斜によってその束が整合される。さらに、このトレイ４０４の傾斜の下側の端部にはステープラー４０５が設置されているので、整合された束の傾斜の下側の端がステープルによって綴じられる。こうして、処理トレイ４０４の上の束が綴じられて１冊の冊子が完成する。その後、この冊子は処理トレイ４０４から排紙トレイ４０１へ排出される。
【００５１】
［パージ処理］
−初期設定−
主制御部６０は操作部５０にユーザーからパージ処理に関する初期設定として、たとえば以下の項目の設定を受け付けさせる（たとえば特許文献２参照）。（１）ジャム等の搬送不良の発生時にパージ処理を行うか否か。（２）パージ処理を行う場合、自動と手動とのいずれのモードで行うか。すなわち、ジャム等の検出時にパージ処理を自動的に開始するか、それともパージ処理の許否をユーザーに確認させるか。（３）パージ処理を行う場合、パージ先を固定するか、それともその都度選択するか。（４）パージ先を固定する場合、いずれの排紙先をパージ先に選択するか。（５）パージ処理を自動で行い、かつその都度パージ先を選択する場合、パージ先の選択条件を次のいずれに設定するか。（ｉ）パージ先は、経路上に残留するシートを１枚でも搬送可能な排紙先の中で最も下流に位置する。（ｉｉ）パージ先は、履歴の表すジャムの頻度が最も高い場所よりも上流に位置する排紙先の中で、その場所に最も近い。（ｉｉｉ）パージ先は、ジョブが規定する本来の排紙先とは異なる。
【００５２】
操作部５０は画像形成装置の起動時等において、これらの項目を設定させるためのＧＵＩ画面を操作パネル５１に表示してユーザーに各項目の設定を促す。その後、ユーザーが“ＯＫ”ボタン等を押下したことに応じ、操作部５０はユーザーから受け付けた各項目の設定を示す情報を主制御部６０に通知し、この通知に応じて主制御部６０はその情報をＲＯＭ６３に保存する。
【００５３】
−監視部−
監視部６１０は、本体１００の搬送部７０と後処理部１５０（以下、「搬送部７０等」と略す。）がシートを経路に沿って搬送する間、画像形成装置の動作モードとジョブの規定する印刷条件とに応じて、搬送部７０等の駆動部１０Ｄ、…を次のように制御する。
監視部６１０はまず各駆動部にシートの搬送先とその搬送先へシートを移動させるべきタイミングとを指示する。たとえば、給送部１０の駆動部１０Ｄには、給紙元として選択すべき給紙カセット等、その給紙カセット等から給送ローラー１２にシートをピックアップさせるべきタイミング、およびタイミングローラー１４にシートを作像部２０へ送出させるべきタイミングが指示される。送出部４０の駆動部４０Ｄには、切換爪４１の先端の向きとその向きへの切り換えのタイミング、および反転ローラー４５に正転を逆転に切り換えさせるべきタイミングが指示される。
【００５４】
これらの指示に応じて搬送部７０等がシートを搬送する間、監視部６１０は各駆動部１０Ｄ、…から通知される光学センサーＦＳ、…の出力を監視して、各シートの経路上の位置を追跡する。具体的には監視部６１０は、各搬送ローラーがシートを送出する度にその時点からの経過時間をタイマーで計測する。シートの搬送速度は動作モードごとに標準値（すなわちシステム速度）が規定されているので、監視部６１０はこの標準の搬送速度と送出時点からの経過時間とに基づいて各シートの移動距離を定期的に、たとえば数十−数百ミリ秒ごとに計算し、その値からそのシートの現時点での位置を割り出す。こうして割り出された各シートの位置に関する情報を監視部６１０はシート位置情報６２１としてＲＡＭ６２に保存する。監視部６１０はまたこの位置情報６２１に基づいて、各シートが次に通過する光学センサーＦＳ、…の設置場所とその通過時刻とを予測する。監視部６１０はこの予測時刻と、その光学センサーの出力の表す実際の通過時刻との誤差からそのシートの現時点での位置を修正し、修正後の値で位置情報６２１を更新する。監視部６１０は更に、更新後の位置情報６２１を利用して各駆動部にシートの新たな搬送先とその搬送先へシートを移動させるべき新たなタイミングとを指示する。
【００５５】
監視部６１０はまた、シート位置情報６２１と光学センサーＦＳ、…の出力とに基づいてジャム等の搬送不良に起因するシートの搬送タイミングの異常な遅れを検知する。その異常な遅れと判断される事象にはたとえば、シート位置情報６２１から予測した光学センサーＦＳ、…の設置場所の通過時刻とその光学センサーの出力の表す実際の通過時刻との誤差が許容範囲を超えた場合、その予測した通過時刻からの経過時間が許容範囲を超えてもその光学センサーの出力が実際の通過を表さない場合が含まれる。この許容範囲は、搬送部７０等がシートを各光学センサーＦＳ、…の設置場所から次の光学センサーの設置場所まで移動させるのに要する時間のばらつきに基づいて予め設定されている。
【００５６】
−選択部−
選択部６１１は、監視部６１０がジャムを検出した場合に起動し、まず、搬送部７０等にシートの搬送を中断させると共に、ＲＯＭ６３からパージ処理に関する初期設定を読み出す。この初期設定が、ジャム等の搬送不良の発生時にパージ処理を行わないことを示す場合、選択部６１１は、ジャムの検出を表すメッセージ等の表示を操作部５０に指示することのみを行う。
【００５７】
初期設定がパージ処理を行うことを示す場合、選択部６１１は次にその初期設定から、パージ処理を自動と手動とのいずれのモードで行うべきかを確認する。パージ処理を自動的に実行すべき場合、選択部６１１は更に、パージ先が固定であるか、それとも都度選択すべきかを確認する。パージ先が固定であれば、その固定のパージ先を示す識別情報を選択部６１１は初期設定から抽出する。パージ先を都度選択すべきであれば、選択部６１１は初期設定の示す選択条件に従ってパージ先を選択する。選択部６１１はその後、パージ制御部６１２を起動し、それにパージ先を指示する。
【００５８】
初期設定が手動モードでのパージ処理の実行を示す場合、選択部６１１はパージ処理の許否をユーザーに確認させる。具体的には、選択部６１１はまず操作部５０にパージ先の選択画面をポップアップ表示させる。
図７はこの選択画面７１０を示す。図７を参照するに選択画面７１０は、ジャムの検出に伴い、操作パネル５１に表示された操作画面７００の上にポップアップとして現れる。この選択画面７１０は、メニュー７１１、キャンセルボタン７１２、およびＯＫボタン７１３を含む。このメニュー７１１には、画像形成装置が備えた複数の排紙先がパージ先の選択肢として一覧表示される。図２の例では、これらの排紙先が、中綴じ機２００の備えたサブトレイ２０３とパージ専用トレイ２０４、くるみ製本機３００の備えたサブトレイ３０５、および平綴じ機４００の備えた排紙トレイ４０１とサブトレイ４０３を含む。キャンセルボタン７１２は、その押下がパージ処理の拒否を意味するボタンであり、ＯＫボタン７１３は、その押下がパージ処理の許可を意味するボタンである。
【００５９】
操作部５０はキャンセルボタン７１２の押下を検知した場合、ユーザーがパージ処理を拒否したことを選択部６１１に通知する。この通知に応じて選択部６１１は、ジャムの検出を表すと共に、経路全体からの残留シートの除去をユーザーに促すメッセージ等の表示を操作部５０に指示することのみを行う。
一方、ＯＫボタン７１３の押下を検知した場合には、操作部５０は更にメニュー７１１に対するユーザーの操作からユーザーの選択した排紙先を特定し、その排紙先を選択部６１１に通知する。この通知に応じて選択部６１１はパージ制御部６１２を起動し、操作部５０から通知された排紙先をパージ先としてパージ制御部６１２に指示する。
【００６０】
−パージ制御部−
パージ制御部６１２は起動後、まずシート位置情報６２１を参照し、経路上に停止しているシートの中からパージ先へ移動可能なシートを特定してそれらのシートの搬送順を決定する。パージ制御部６１２は次に搬送部７０等にそれらのシートをその搬送順でパージ先へ搬送させる。
【００６１】
図８の（ａ）は、平綴じ機４００が排紙トレイ４０１にジャムＪＭを検出したことに応じて、図２の示すシートの搬送経路に設けられた複数の排紙先のうち、平綴じ機４００のサブトレイ４０３がパージ先に選択された場合におけるパージ処理の様子を示す模式図である。図８の（ａ）を参照するに、パージ先である平綴じ機４００のサブトレイ４０３へは、平綴じ機４００内の搬送経路の分岐点８０１よりも上流に残留するシートが移動可能である。パージ制御部６１２はシート位置情報６２１に基づいて、その分岐点８０１よりも上流に残留するシートを特定してそれらのシートの搬送順を決定し、搬送部７０等にそれらのシートをその搬送順で平綴じ機４００のサブトレイ４０３へ搬送させる。一方、その分岐点８０１よりも下流、中綴じ機２００内の処理経路ＳＬＰ、くるみ製本機３００内の処理経路ＭＴＰ、および平綴じ機４００内の処理経路ＳＤＰに残留するシート等、ジャムＪＭを生じたシートを含めて、平綴じ機４００のサブトレイ４０３へは搬送不可のシートをパージ制御部６１２は搬送部７０等に経路上にそのまま停留させる。これらのシートはユーザーによって経路から直接除去される。
【００６２】
図８の（ｂ）は、平綴じ機４００が排紙トレイ４０１にジャムＪＭを検出したことに応じて、中綴じ機２００のサブトレイ２０３がパージ先に選択された場合におけるパージ処理の様子を示す模式図である。図８の（ｂ）を参照するに、パージ先である中綴じ機２００のサブトレイ２０３へは、中綴じ機２００内の搬送経路の分岐点８０２よりも上流に残留するシートが移動可能である。パージ制御部６１２はシート位置情報６２１に基づいてその分岐点８０２よりも上流に残留するシートを特定してそれらのシートの搬送順を決定し、搬送部７０等にそれらのシートをその搬送順で中綴じ機２００のサブトレイ２０３へ搬送させる。一方、その分岐点８０２よりも下流と中綴じ機２００内の処理経路ＳＬＰとに残留するシート等、ジャムＪＭを生じたシートを含めて、中綴じ機２００のサブトレイ２０３へは搬送不可のシートをパージ制御部６１２は搬送部７０等に経路上にそのまま停留させる。これらのシートはユーザーによって経路から直接除去される。
【００６３】
−パージ処理の流れ−
図９はパージ処理のフローチャートである。この処理は、選択部６１１が監視部６１０によるジャムの検出に応じて起動し、搬送部７０と後処理部１５０とにシートの搬送を中断させた後、初期設定がパージ処理の実行を示すことを確認した場合に開始される。
ステップＳ１０１では、パージ処理を自動モードで行うべきことを初期設定が示すか否かを選択部６１１が確認する。自動モードでの実行を初期設定が示さない場合には処理がステップＳ１０２へ進み、示す場合には処理がステップＳ１０５へ進む。
【００６４】
ステップＳ１０２では、初期設定がパージ処理の自動モードでの実行を示さない。これはその実行が手動モードであることを意味する。したがって、選択部６１１は操作部５０に対し、パージ先の選択画面を操作パネル５１にポップアップ表示するように指示する。その後、処理はステップＳ１０３へ進む。
ステップＳ１０３では、選択画面に対するユーザーの操作によってパージ先が選択されたことを操作部５０からの通知が示すか否かを選択部６１１が確認する。ユーザーによるパージ先の選択をその通知が示さない場合には処理がステップＳ１０４へ進み、示す場合には処理がステップＳ１０６へ進む。
【００６５】
ステップＳ１０４では、操作部５０からの通知が、キャンセルボタン７１２の押下等、ユーザーによるパージ先の選択を示さないので、ユーザーがパージ処理の実行を拒否したと選択部６１１は解釈する。この解釈に基づいて選択部６１１は更に操作部５０に対し、ジャムの検出を表すメッセージ等と共に、経路全体から残留シートを除去するようにユーザーに促す旨のメッセージを操作パネル５１に表示することを指示する。その後、処理は終了する。
【００６６】
ステップＳ１０５では、初期設定がパージ処理の自動モードでの実行を示すので、選択部６１１は更に、固定のパージ先を初期設定から特定し、または初期設定の示す選択条件に従ってパージ先を選択する。その後、処理はステップＳ１０６へ進む。
ステップＳ１０６では、選択部６１１は、初期設定がパージ処理の自動モードでの実行を示す場合であればすでに初期設定に基づいてパージ先を特定済みである。一方、初期設定がパージ処理の手動モードでの実行を示す場合であれば、操作部５０からの通知がユーザーの選択した排紙先を示すので、選択部６１１はその通知の示す排紙先をパージ先に特定する。こうして、選択部６１１はパージ制御部６１２を起動して、特定したパージ先をパージ制御部６１２に指示する。パージ制御部６１２はシート位置情報６２１に基づき、経路上に停止しているシートの中から、指示されたパージ先へ移動可能なシートをパージ対象に特定する。その後、処理はステップＳ１０７へ進む。
【００６７】
ステップＳ１０７では、パージ制御部６１２はパージ対象のシートを搬送部７０等にパージ先へ搬送させる。一方、パージ対象から除外された経路上の残留シートをパージ制御部６１２は搬送部７０等に経路上にそのまま停留させる。その後、処理はステップＳ１０８へ進む。
ステップＳ１０８では、パージ対象のシートをすべて搬送部７０等がパージ先へ搬送し終えたことをパージ制御部６１２が確認し、その上で選択部６１１は操作部５０に対し、ジャムの検出を表すメッセージ等と共に、パージ対象から除外された残留シートを経路から除去するようにユーザーに促す旨のメッセージを操作パネル５１に表示することを指示する。その後、処理は終了する。
【００６８】
［実施形態の利点］
本発明の実施形態による画像形成装置では上記のとおり、監視部６１０がジャムを検出した場合、選択部６１１が搬送部７０等にシートの搬送を中断させると共に、初期設定が手動モードでのパージ処理の実行を示すことに応じて、操作部５０にパージ先の選択画面を表示させる。この選択画面を通してユーザーからパージ先を操作部５０が受け付けたことに応じ、パージ制御部６１２が経路上に停止しているシートの中からそのパージ先へ移動可能なシートを特定し、搬送部７０等にそれらのシートをそのパージ先へ搬送させる。
【００６９】
こうしてこの画像形成装置は、ジャムが実際に検出された時点においてパージ処理の許否をユーザーに確認させ、特にパージ先を選択させることができる。これにより、ユーザーが実際のパージ先を失念する危険性が低減する。したがって、この画像形成装置は、中綴じ機２００のサブトレイ２０３とパージ専用トレイ２０４、くるみ製本機３００のサブトレイ３０５、および平綴じ機４００の排紙トレイ４０１とサブトレイ４０３のように、パージ先として利用可能な排紙先を複数備えていても、パージされたシートをユーザーが取り忘れる危険性を回避することができる。それ故、ジョブの対象が機密文書等、セキュリティーレベルの高い画像の印刷である場合、ユーザーがパージ処理を手動モードに設定してさえおけば、その画像の形成されたシートがパージ先で他の印刷物へ混入する等によって第三者に曝される危険性を回避することができる。
【００７０】
［変形例］
（A）図１の示す画像形成装置はその本体１００が、スキャナー、コピー機、およびレーザープリンターの機能を併せ持つ。本発明の実施形態による画像形成装置はその他にその本体が、レーザープリンター、インクジェットプリンター、ファクシミリ、またはコピー機等のいずれの機能を含んでいてもよい。特に作像部が、図２、図３の示すモノクロ対応の構造２０とは異なり、カラー対応の構造であってもよい。
【００７１】
（B）図１の示す後処理部は、中綴じ機２００、くるみ製本機３００、および平綴じ機４００の３台により、中綴じ、くるみ製本、および平綴じの３種類の後処理を実行可能である。後処理の種類はその他に、シートを仕分け（ソート）する処理、シートに綴じ穴を開ける処理、シートを二つ折りもしくは三つ折りにする処理、またはシートの束に別のシートを挿入する処理等を含んでいてもよい。
【００７２】
（C）ジャムの検出に伴うパージ処理は一般に、ジャムを生じたシートが経路からユーザー等の手で除去される前に行われるもの（プレパージ）と、そのシートが除去された後、ジョブの処理を再開する直前に行われるもの（オートパージ）との２種類に大別される。本発明の実施形態による画像形成装置が対象とするパージ処理はこれら２種類のいずれであってもよい。
【００７３】
（D）操作部５０は図７が示すように、パージ先の選択画面７１０を操作画面７００の上にポップアップ表示する。操作部５０はその他に、操作パネル５１から操作画面を消去した後に選択画面を表示しても、操作パネル５１の画面を分割して選択画面を操作画面とは別に表示してもよい。
（E）パージ制御部６１２は経路上の残留シートのうちパージ先へ搬送可能なシートをパージ対象に特定する一方、そのパージ対象から除外された残留シートを搬送部７０等に経路上にそのまま停留させる。パージ制御部６１２はその他に、パージ対象から除外されたシートのうち移動可能なシートを搬送部７０等に、複数の排紙先のうち搬送可能な排紙先まで搬送させてもよい。この場合、選択部６１１は操作部５０に対し、選択されたパージ先とは別の排紙先にパージされたシートがあることとその別の排紙先とを示すメッセージ等を操作パネル５１に表示するように指示してもよい。これにより、パージされたシートをユーザーが取り忘れる危険性を回避すると共に、ユーザーに経路上からシートを除去させる際の手間を軽減することができる。
【００７４】
（F）図２では後処理部を構成する、中綴じ機２００、くるみ製本機３００、および平綴じ機４００のそれぞれが、パージ先の候補となり得る排紙先を少なくとも１つずつ含む。その他に、後処理部を構成する装置のいずれかが、パージ先の候補となり得る排紙先を備えていなくてもよい。
（G）図７の示す選択画面７１０では、図２の示す複数の排紙先、すなわち中綴じ機２００のサブトレイ２０３とパージ専用トレイ２０４、くるみ製本機３００のサブトレイ３０５、および平綴じ機４００の排紙トレイ４０１とサブトレイ４０３のすべてがパージ先の候補としてメニュー７１１に表示される。その他に、画像形成装置が備えた複数の排紙先の中から、選択画面７１０のメニュー７１１に実際に表示されるパージ先の候補が自動的に絞られてもよい。具体的には、選択部６１１がまず、ジャムの検出に伴って経路上に停止したシートのうち各ジョブで最初に処理されたシートの位置をシート位置情報６２１から特定する。特に、手動モードでのパージ処理の実行が設定されたジョブで最初に処理されたシートの位置が特定される。選択部６１１は次に、特定した位置からシートを搬送可能な排紙先をパージ先の候補として選択し、これらの候補を選択画面７１０に表示するように操作部５０に対して指示する。
【００７５】
これにより、機密文書等、セキュリティーレベルの高い画像を対象とする特定のジョブの処理中に、先行の別のジョブで処理されたシートにジャムが生じた場合、その特定のジョブ以降のジョブで処理されたシートを対象とするパージ先をユーザーに選択させることができる。これにより、少なくともそれらのシートは経路上に残留することなくユーザーが選択したパージ先に排紙されるので、それらのシートが第三者に曝される危険性を更に低減させることができる。
【００７６】
選択部６１１はまた、ジャムの検出に伴って経路上に停止したシートのうち各ジョブで最初に処理されたシートの位置を選択画面７１０に表示してもよい。ユーザーはこの表示された位置に基づき、自身の要求したジョブで最初に処理されたシートが移動可能な排紙先を探す。この排紙先をパージ先に選択することができれば、そのジョブで処理されたシートが経路上に残ることを回避することができる。
【産業上の利用可能性】
【００７７】
本発明は画像形成装置におけるシートのパージ技術に関し、上記のとおり、ジャムの検出時にパージ先の選択画面を操作画面にポップアップ表示し、ユーザーがパージ先を選択したことに応じてパージ処理を実行する。このように、本発明は明らかに産業上利用可能である。
【符号の説明】
【００７８】
１００  画像形成装置の本体
１１    給紙カセット
１４    タイミングローラー
２０    作像部
３０    定着部
４０    送出部
５１    操作パネル
２００  中綴じ機
２０１  冊子トレイ
２０２  中綴じ部
２０３  中綴じ機のサブトレイ
２０４  パージ専用トレイ
２１０  中綴じ機内の搬送ローラー
３００  くるみ製本機
３０１  表紙トレイ
３０３  丁合部
３０４  表装部
３０５  くるみ製本機のサブトレイ
３０６  集積台
３０７  台車
３１０  くるみ製本機内の搬送ローラー
４００  平綴じ機
４０１  排紙トレイ
４０２  平綴じ部
４０３  平綴じ機のサブトレイ
４０４  処理トレイ
４０５  平綴じ機内のステープラー
４１０  平綴じ機内の搬送ローラー
ＦＤＰ  本体内の給紙経路
ＣＲＰ  本体内の搬送経路
ＲＬＰ  中綴じ機内の中継経路
ＳＬＰ  中綴じ機内の処理経路
ＢＢＰ  くるみ製本機内の中継経路
ＭＴＰ  くるみ製本機内の処理経路
ＤＣＰ  平綴じ機内の排紙経路
ＳＤＰ  平綴じ機内の処理経路
ＳＢＰ  平綴じ機内のサブ経路
７００  操作画面
７１０  パージ先の選択画面
７１１  パージ先の候補のメニュー
【図１】
2017019172.tif 000003
【図２】
2017019172.tif 000004
【図３】
2017019172.tif 000005
【図４】
2017019172.tif 000006
【図５】
2017019172.tif 000007
【図６】
2017019172.tif 000008
【図７】
2017019172.tif 000009
【図８】
2017019172.tif 000010
【図９】
2017019172.tif 000011